(57)【要約】【課題】比較的容易に施工でき、かつ、建物全体の見栄えを向上させることができる開閉装置を提供する。【解決手段】開閉装置１０は、雨戸枠１０４と戸袋１０６とを含む雨戸ユニットに対応して設けられる。開閉装置１０は、雨戸枠１０４および戸袋１０６を囲むように建物に固定される支持枠１２と、支持枠１２に支持され、雨戸枠１０４の枠開口１０８を開閉するための第１シャッターカーテン３２と、支持枠１２に支持され、戸袋１０６を覆い隠す第２シャッターカーテン３８と、を備える。【選択図】図１
2018119383.tif 000002
【特許請求の範囲】
【請求項１】
雨戸枠と戸袋とを含む雨戸ユニットに対応して設けられる開閉装置であって、
前記雨戸枠および前記戸袋を囲むように建物に固定される支持枠と、
前記支持枠に支持され、前記雨戸枠の枠開口を開閉するための開閉体と、
前記支持枠に支持され、前記戸袋を覆い隠す隠蔽部材と、を備えることを特徴とする開閉装置。
【請求項２】
前記隠蔽部材は、前記開閉体とは別体として設けられた別の開閉体であることを特徴とする請求項１に記載の開閉装置。
【請求項３】
前記別の開閉体は、前記戸袋を覆い隠した状態で、外部から実質的に開放不能なように構成されていることを特徴とする請求項２に記載の開閉装置。
【請求項４】
前記支持枠は、前記雨戸枠および前記戸袋に非接触で建物に固定されることを特徴とする請求項１からのいずれかに記載の開閉装置。
【請求項５】
前記隠蔽部材は、前記開閉体と実質的に同一色であることを特徴とする請求項１から４のいずれかに記載の開閉装置。
【請求項６】
前記隠蔽部材は、建物の外壁と実質的に同一色であることを特徴とする請求項１から４のいずれかに記載の開閉装置。
【請求項７】
雨戸枠と戸袋とを含む雨戸ユニットに対応して設けられる開閉装置の施工方法であって、
見込み方向における寸法が小さくなるよう前記戸袋を加工する工程と、
前記雨戸枠および前記戸袋を囲むように支持枠を建物に固定する工程と、
前記雨戸枠の枠開口を開閉するための開閉体と、加工された前記戸袋を覆い隠すための隠蔽部材とを前記支持枠に固定する工程と、を含むことを特徴とする施工方法。
【発明の詳細な説明】
【技術分野】
【０００１】
本発明は、雨戸枠と戸袋とを含む雨戸ユニットに対応して設けられる開閉装置とその施工方法に関する。
【背景技術】
【０００２】
雨戸枠と戸袋とを含む雨戸ユニットに対応して建物に取り付けられる後付用の開閉装置が提案されている（例えば特許文献１）。
【先行技術文献】
【特許文献】
【０００３】
【特許文献１】特開２０１４−７７２４３号公報
【発明の概要】
【発明が解決しようとする課題】
【０００４】
特許文献１に記載される開閉装置は、既設の雨戸ユニットを取り外さなくて済むため、比較的容易に施工できる。しかしながら、この開閉装置では、それが施工された建物全体としての見栄えに関して改善の余地がある。
【０００５】
本発明はこうした状況に鑑みてなされたものであり、その目的は、比較的容易に施工でき、かつ、建物全体の見栄えを向上させることができる開閉装置を提供することにある。
【課題を解決するための手段】
【０００６】
上記課題を解決するために、本発明のある態様の開閉装置は、雨戸枠と戸袋とを含む雨戸ユニットに対応して設けられる開閉装置であって、建物に固定される支持枠と、支持枠に支持され、雨戸枠の枠開口を開閉するための開閉体と、支持枠に支持され、戸袋を覆い隠す隠蔽部材と、を備える。
【０００７】
本発明の別の態様は、施工方法である。この方法は、雨戸枠と戸袋とを含む雨戸ユニットに対応して設けられる開閉装置の施工方法であって、見込み方向における寸法が小さくなるよう戸袋を加工する工程と、支持枠を建物に固定する工程と、雨戸枠の枠開口を開閉するための開閉体と、加工された戸袋を覆い隠すための隠蔽部材とを支持枠に固定する工程と、を含む。
【発明の効果】
【０００８】
本発明によれば、比較的容易に施工でき、かつ、建物全体の見栄えを向上させることができる開閉装置を提供できる。
【図面の簡単な説明】
【０００９】
【図１】実施の形態に係る開閉装置を示す斜視図である。
【図２】図１の開閉装置を示す分解立体図である。
【図３】図１の支持枠を示す正面図である。
【図４】図１のシャッターユニットの内部構造を示す模式図である。
【図５】開閉装置を建物に施工する方法を示す工程図である。
【図６】開閉装置を建物に施工する方法を示す工程図である。
【図７】開閉装置を建物に施工する方法を示す工程図である。
【図８】開閉装置を建物に施工する方法を示す工程図である。
【図９】開閉装置を建物に施工する方法を示す工程図である。
【図１０】実施の形態の変形例に係る開閉装置を示す斜視図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（開閉装置）
図１は、実施の形態に係る開閉装置１０を示す斜視図である。図１では、第１シャッターカーテン３２および第２シャッターカーテン３８を半透明で図示する。図２は、開閉装置１０を示す分解斜視図である。図３は、建物に固定された支持枠１２を示す正面図である。
以降、開閉装置１０が取り付けられる建物の壁面（全体として平坦である壁面）と平行な実質的に水平な方向を「見付け方向」とし、見付け方向に直交する実質的に水平な方向を「見込み方向」として説明する。また、見込み方向において、開閉装置１０が取り付けられる建物の壁面から離れる側を「前側」として説明する。
【００１２】
開閉装置１０は、既設の雨戸ユニット１０２に対応して設けられる。その雨戸ユニット１０２は、窓部に対応して設けられる。窓部は、建物の壁面の開口を囲むように壁面に取り付けられる窓枠１１０と、窓枠１１０にはまるガラス戸（不図示）とを含む。雨戸ユニット１０２は、雨戸枠１０４と、雨戸枠１０４にはまる雨戸（不図示）を収納するための戸袋１０６とを含む。雨戸枠１０４は、窓枠１１０の前側に、例えば窓枠１１０と一体に形成される。
【００１３】
開閉装置１０は、雨戸ユニット１０２のリフォームとして、基本的には雨戸ユニット１０２をそのままに、雨戸ユニット１０２の上から取り付けられる。開閉装置１０は、本実施の形態では、開閉体としてのシャッターカーテン（後述）を備えるシャッター装置である。開閉装置１０は、支持枠１２と、シャッターユニット１４と、連窓方立１６と、を備える。
【００１４】
支持枠１２は、矩形状に組まれた枠体であり、雨戸枠１０４および戸袋１０６を囲むようにねじ等の固定手段により建物に固定される。支持枠１２は、例えば、外壁を介して建物の柱部に固定されてもよい。また、支持枠１２は、雨戸枠１０４および戸袋１０６に荷重がかららないように建物に固定される。本実施の形態では、支持枠１２は、雨戸枠１０４および戸袋１０６とは非接触で建物に固定される。
【００１５】
支持枠１２は、第１上枠２０と、第２上枠２１と、下枠２２と、第１縦枠２４と、第２縦枠２６と、を含む。第１上枠２０、第２上枠２１は、見付け方向に延在するように、雨戸枠１０４および戸袋１０６の上方において建物に固定される。第１上枠２０は、第２上枠２１と鉛直方向に間隔を開けて第２上枠よりも上方に設けられる。下枠２２は、見付け方向に延在するように、雨戸枠１０４および戸袋１０６の下方において建物に固定される。第１縦枠２４は、鉛直方向に延在するように、見付け方向において雨戸枠１０４に対して戸袋１０６とは反対側（図３では右側）において建物に固定される。第１縦枠２４は、第１上枠２０、第２上枠２１および下枠２２の雨戸枠１０４側の端部を連結する。第２縦枠２６は、鉛直方向に延在するように、見付け方向において戸袋１０６に対して雨戸枠１０４とは反対側において建物に固定される。第２縦枠２６は、第１上枠２０、第２上枠２１および下枠２２の戸袋１０６側の端部を連結する。
【００１６】
連窓方立１６は、支持枠１２の枠開口１８を左右２つに分けるようにケース３０（後述）および下枠２２に連結される。詳しくは、連窓方立１６は、見込み方向から見て、支持枠１２の枠開口１８を、雨戸枠１０４の枠開口１０８と重なる第１部分１８ａと、戸袋１０６と重なる第２部分１８ｂの２つに分けるようにケース３０および下枠２２に連結される。本実施の形態では、連窓方立１６は、見込み方向において雨戸枠１０４の戸袋１０６側の縦枠１１２と対向するように、縦枠１１４の前側に設けられる。
【００１７】
図４は、シャッターユニット１４の内部構造を示す模式図である。図１〜３に加えて図４も参照する。シャッターユニット１４は、ケース３０と、第１シャッターカーテン３２と、第１シャフト３４と、一対の第１ブラケット３６と、第１駆動モータ（不図示）と、第２シャッターカーテン３８と、第２シャフト４０と、一対の第２ブラケット４２と、制御装置（不図示）とを含む。
【００１８】
ケース３０は、長尺の箱状の部材であり、長手方向が見付け方向と実質的に一致するよう第１上枠２０および第２上枠２１に固定される。ケース３０は、第１シャッターカーテン３２、第１シャフト３４、一対の第１ブラケット３６、第１駆動モータ、第２シャッターカーテン３８、第２シャフト４０、一対の第２ブラケット４２、および制御装置を収容し、それらを隠蔽する。
【００１９】
第１シャフト３４は、見付け方向に延在するようケース３０内に配置される。第１シャフト３４は特に、見込み方向から見て雨戸枠１０４の枠開口１０８の上方に配置される。一対の第１ブラケット３６は、ケース３０に固定される。一対の第１ブラケット３６は、第１シャフト３４を回動可能に支持する。
【００２０】
第１シャッターカーテン３２は、支持枠１２の枠開口１８の第１部分１８ａひいては雨戸枠１０４の枠開口１０８を開閉するための開閉体であり、その一端が第１シャフト３４に固定される。したがって、第１シャッターカーテン３２は、第１シャフト３４、一対の第１ブラケット３６、およびケース３０を介して、第１上枠２０および第２上枠２１ひいては支持枠１２に支持される。
【００２１】
例えばリモートコントローラーを介して閉操作されると、制御装置は第１駆動モータのモータ軸ひいては第１シャフト３４を所定の方向に回転させる。これにより、第１シャッターカーテン３２が第１シャフト３４に巻き取られ、枠開口１０８が開放される。また例えば、開操作されると、制御装置は第１駆動モータのモータ軸ひいては第１シャフト３４を逆方向に回転させる。これにより、第１シャッターカーテン３２が繰り出され、枠開口１０８が閉鎖される。なお、第１シャッターカーテン３２は、開閉する際、第１縦枠２４および連窓方立１６に設けられたガイドレールにガイドされる。
【００２２】
第２シャフト４０は、見付け方向に延在するようケース３０内に配置される。第２シャフト４０は特に、見込み方向空見て戸袋１０６の上方に配置される。一対の第２ブラケット４２は、ケース３０に固定される。第２ブラケット４２は、第２シャフト４０を回転可能に支持する。
【００２３】
第２シャッターカーテン３８は、第１シャッターカーテン３２と同様に構成される第１シャッターカーテン３２とは別体のシャッターカーテンである。第２シャッターカーテン３８は、支持枠１２の枠開口１８の第２部分１８ｂを開閉するための開閉体であり、その一端が第２シャフト４０に固定される。したがって、第２シャッターカーテン３８は、一対の第２ブラケット４２、およびケース３０を介して、第１上枠２０および第２上枠２１ひいては支持枠１２に支持される。
【００２４】
第２シャッターカーテン３８が全閉して支持枠１２の枠開口１８の第２部分１８ｂが閉鎖されると、建物の外（すなわち外部）から視認できないように戸袋１０６が覆い隠される。つまり、第２シャッターカーテン３８は、戸袋１０６を覆い隠す隠蔽部材として機能する。
【００２５】
本実施の形態では、第２シャッターカーテン３８は、全閉した状態で、すなわち支持枠１２の枠開口１８の第２部分１８ｂを完全に閉鎖して戸袋１０６を覆い隠した状態で、建物の外からは実質的に開放不能なように構成される。例えば、開閉装置１０に通常備わるロック装置であって、第２シャッターカーテン３８を施錠および解錠するためのロック装置により、第２シャッターカーテン３８を施錠してもよい。これにより第２シャッターカーテン３８は、全閉した状態で、建物の外からは実質的に開放不能となる。
【００２６】
また例えば、ねじ等の固定手段により、例えば第２シャッターカーテン３８の下端が下枠２２に固定されてもよい。これにより、第２シャッターカーテン３８は、全閉した状態で、建物の外に加えて建物の中からも実質的に開放不能、言い換えると全閉した状態を実質的に解除不能となる。なお、「実質的に開放不能」とは、開閉装置１０を破壊したり所定の工具を用いたりしなければ開放できないことをいう。
【００２７】
また、第２シャッターカーテン３８は、建物の外に面した表面（以下、「外表面という」）の色が第１シャッターカーテン３２の外表面の色と実質的に同一となるよう構成される。例えば、第２シャッターカーテン３８の外表面に第１シャッターカーテン３２の外表面と実質的に同色の塗装が施されることによってこれが実現される。第２シャッターカーテン３８は、好ましくは、色に加えて外表面の質感（例えば光沢感、立体感、凹凸感）が第１シャッターカーテン３２の外表面の質感と実質的に同一となるよう構成される。例えば、第２シャッターカーテン３８が第１シャッターカーテン３２と同様に構成されることによって、すなわち第２シャッターカーテン３８が第１シャッターカーテン３２と実質的に同一の材料から形成され、外表面に実質的に同一の表面処理が施され、外表面に実質的に同色の塗装が施されることによってこれが実現される。
【００２８】
なお、上述したように、第２シャッターカーテン３８は基本的に開閉されないため、本実施の形態では、シャッターユニット１４は第２シャッターカーテン３８を開閉するための駆動モータは有しない。そのため、手動で第２シャッターカーテン３８を全閉する。
【００２９】
（施工方法）
図５〜９は、上述した開閉装置１０を建物に施工する方法を示す工程図である。
【００３０】
図５は、施工前の雨戸ユニット１０２の様子を示す。
【００３１】
まず、図６に示すように、見込み方向における寸法が小さくなるよう戸袋１０６を加工する。具体的には、まず、鏡板１２０と妻板１２２を取り外す。なお、一般に、建物の壁に固定されている妻板１２２、側板１２４、天板１２６および皿板１２８のうち、妻板１２２は建物の壁に実質的に影響を与えることなく容易に取り外すことができる。その後、側板１２４、天板１２６および皿板１２８をそれぞれ、見込み方向における寸法が小さくなるように建物の壁に影響を与えない範囲で切り落とす。また、建物の中から戸袋１０６側の第２シャッターカーテン３８の内側が見えないように、切り落とし後の側板１２４、天板１２６、皿板１２８と同程度の幅の目隠し板１３０を妻板１２２があった位置に設ける。
【００３２】
次に、図７に示すように、支持枠１２が雨戸ユニット１０２を取り囲むように支持枠１２を建物に固定する。
【００３３】
次に、図８に示すように、シャッターユニット１４を支持枠１２の第１上枠２０および第２上枠２１（図８では不図示）に固定する。
【００３４】
次に、図９に示すように、連窓方立１６を第１上枠２０および第２上枠２１と下枠２２とに連結する。また、第２シャッターカーテン３８を全閉し、外部からは実質的に開放不能とするべく、ロック装置を施錠する、あるいはねじ等の固定手段により固定する。
【００３５】
以上説明した実施の形態に係る開閉装置１０では、支持枠１２は雨戸枠１０４および戸袋１０６を囲むように建物に固定される。これにより、既設の雨戸ユニット１０２を取り外すことなく開閉装置１０を施工できる。また、開閉装置１０では、第１シャッターカーテン３２により枠開口１０８を開閉され、第２シャッターカーテン３８により戸袋１０６を隠蔽できされる。これにより、雨戸枠１０４の枠開口１０８を開閉できるのはもちろんのこと、例えば老朽化により見栄えが悪くなった戸袋１０６を隠蔽して建物全体の見栄えを向上させることができる。以上より、実施の形態に係る開閉装置１０によると、比較的に容易に施工でき、かつ、建物全体の見栄えを向上させることができる。
【００３６】
また、実施の形態に係る開閉装置１０では、第１シャッターカーテン３２とは別体である第２シャッターカーテン３８により戸袋１０６が隠蔽される。これにより、第２シャッターカーテン３８により戸袋１０６を隠蔽したまま、第１シャッターカーテン３２により枠開口１０８を開閉できる。また、全体として統一感のある外観を提供できる。
【００３７】
また、実施の形態に係る開閉装置１０では、第２シャッターカーテン３８は、全閉して雨戸枠１０４を覆い隠した状態で、外部から実質的に開放不能なように構成される。これにより、開閉装置１０の防犯性が確保される。
【００３８】
また、実施の形態に係る開閉装置１０では、支持枠１２は、雨戸枠１０４および戸袋１０６とは非接触で建物に固定される。つまり、比較的強度の低い雨戸枠１０４や戸袋１０６に固定されないため、開閉装置１０は安定、かつ、強固に固定される。
【００３９】
また、実施の形態に係る開閉装置１０では、第２シャッターカーテン３８は、外表面の色が第１シャッターカーテン３２の外表面の色と実質的に同一となるよう構成される。また、第２シャッターカーテン３８は、好ましくは、色に加えて外表面の質感が第１シャッターカーテン３２の外表面の質感と実質的に同一となるよう構成される。これにより、全体として統一感のある外観を提供できる。
【００４０】
また、実施の形態に係る開閉装置１０の施工方法では、見込み方向における寸法が小さくなるよう戸袋１０６が加工される。これにより、開閉装置１０の見込み方向の厚みを薄くできる。つまり、スリムな開閉装置１０を実現できる。
【００４１】
以上、実施の形態に係る開閉装置について説明した。この実施の形態は例示であり、各構成要素の組み合わせにいろいろな変形例が可能なこと、またそうした変形例も本発明の範囲にあることは当業者に理解されるところである。
【００４２】
（変形例１）
実施の形態では、開閉装置がシャッター装置である場合、すなわち開閉装置が開閉体としての第１シャッターカーテン３２を備える場合について説明したが、これに限られない。開閉装置は、シャッターカーテン以外の開閉体、例えば、ブラインド、ロールスクリーン、または防煙垂れ幕などの開閉体を備えるものであってもよい。
【００４３】
（変形例２）
実施の形態では、第２シャッターカーテン３８は、外表面の色が第１シャッターカーテン３２の外表面の色と実質的に同一となるよう構成される場合について説明したが、これに限られない。第２シャッターカーテン３８は、外表面の色が、建物の壁面の色と実質的に同一となるよう構成されてもよい。これにより、既存の戸袋１０６を隠蔽でき、かつ、建物全体として統一感のある外観を提供できる。
【００４４】
（変形例３）
実施の形態では、シャッターユニット１４が戸袋１０６を隠蔽するための隠蔽部材として機能する第２シャッターカーテン３８を含む場合について説明したが、これに限られない。隠蔽部材は、戸袋１０６を隠蔽できればよく、シャッターカーテン以外のものであってもよい。例えば、隠蔽部材は、ブラインド、ロールスクリーン、または防煙垂れ幕などの開閉体であってもよい。また例えば、隠蔽部材は、単なるプレートなどの非開閉体であってもよい。
【００４５】
図１０は、実施の形態の変形例に係る開閉装置２１０を示す斜視図である。シャッターユニット１４が第２シャッターカーテン３８を有しない代わりに、開閉装置２１０は戸袋１０６を隠蔽するための隠蔽部材としての平板状のプレート２３８を備える。プレート２３８は、外表面の色が第１シャッターカーテン３２の外表面の色と実質的に同一となるよう構成される。また、プレート２３８は、好ましくは、色に加えて光沢感などの質感が第１シャッターカーテン３２の外表面の質感と実質的に同一となるよう構成される。また、変形例２と同様に、プレート２３８は、外表面の色が建物の壁面の色と実質的に同一となるよう構成されてもよい。変形例に係る開閉装置２１０よれば、実施の形態に係る開閉装置１０によって奏される作用効果と同様の作用効果が奏される。
【００４６】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００４７】
以上の記載から、下記の発明が認識される。
本発明のある態様の開閉装置は、雨戸枠と戸袋とを含む雨戸ユニットに対応して設けられる開閉装置であって、建物に固定される支持枠と、支持枠に支持され、雨戸枠の枠開口を開閉するための開閉体と、支持枠に支持され、戸袋を覆い隠す隠蔽部材と、を備える。この態様によると、雨戸枠の枠開口を開閉でき、かつ、戸袋を隠蔽して建物全体の見栄えを向上させることができる。
【００４８】
隠蔽部材は、開閉体とは別体として設けられた別の開閉体であってもよい。この場合、開閉装置全体として統一感のある外観を提供できる。
【００４９】
別の開閉体は、戸袋を覆い隠した状態で、外部から実質的に開放不能なように構成されていてもよい。この場合、開閉装置の防犯性が確保される。
【００５０】
支持枠は、雨戸枠および戸袋に非接触で建物に固定されてもよい。この場合、開閉装置は、安定、かつ、強固に固定される。
【００５１】
隠蔽部材は、開閉体と実質的に同一色であってもよい。この場合、開閉装置全体として統一感のある外観を提供できる。
【００５２】
隠蔽部材は、建物の外壁と実質的に同一色であってもよい。この場合、建物全体として統一感のある外観を提供できる。
【００５３】
本発明の別の態様は、施工方法である。この方法は、雨戸枠と戸袋とを含む雨戸ユニットに対応して設けられる開閉装置の施工方法であって、見込み方向における寸法が小さくなるよう戸袋を加工する工程と、支持枠を建物に固定する工程と、雨戸枠の枠開口を開閉するための開閉体と、加工された戸袋を覆い隠すための隠蔽部材とを支持枠に固定する工程と、を含む。この場合、スリムな開閉装置を実現できる。
【符号の説明】
【００５４】
１０  開閉装置、  １２  支持枠、  １８  枠開口、  ３２  第１シャッターカーテン、  ３８  第２シャッターカーテン、  １０２  雨戸ユニット、  １０４  雨戸枠、  １０６  戸袋、  １０８  枠開口。
【図１】
2018119383.tif 000003
【図２】
2018119383.tif 000004
【図３】
2018119383.tif 000005
【図４】
2018119383.tif 000006
【図５】
2018119383.tif 000007
【図６】
2018119383.tif 000008
【図７】
2018119383.tif 000009
【図８】
2018119383.tif 000010
【図９】
2018119383.tif 000011
【図１０】
2018119383.tif 000012